(57)【要約】      （修正有）【課題】製造を簡略化し、電解液及びフッ化水素酸への耐性を改善し、製品構造を簡素化して製造コストを削減する。【解決手段】リチウム電池用アルミニウムプラスチックフィルム包材１０について、包材１０が少なくとも備えている内層７０とアルミニウム箔層４０との間に、（１）三価クロム含有水性修飾樹脂からクロム含有耐食層５０の形成と、（２）水性修飾樹脂とエポキシ硬化剤とシランカップリング剤とナノサイズ金属酸化物粒子とから非クロム材料の接着剤層６０の形成と、のうちの一つによって耐食処理を施す、プラスチックフィルム包材１０。【選択図】図１
2019102262.tif 000002
【特許請求の範囲】
【請求項１】
ポリオレフィン重合体又はポリオレフィン共重合体の薄膜から形成された１０−８０μｍ厚の内層と、順次積層結果としての最外層をなす所定のポリエステルフィルム又はナイロン−ポリエステル複合フィルムから形成された１０−５０μｍ厚の基体層と、軟アルミニウム箔から形成されて前記基体層に対し配置され脱脂処理又は化成処理が施された２０−１００μｍ厚のアルミニウム箔層と、を有するリチウム電池用積層構造をなすアルミニウムプラスチックフィルム包材であって、
前記内層と前記アルミニウム箔層との間に介在する層であって、当該層の総重量当たりの重量百分率で（ａ）９６−９９．５重量％の水性修飾ポリオレフィン樹脂と（ｂ）０．５−４重量％のエポキシ硬化剤とが高温で硬化形成されてなる第１接着剤層と、
前記アルミニウム箔層と前記第１接着剤層との間に介在する層であって、当該層の総成分当たりの重量百分率で（ａ）９０−９８重量％を占めるポリエステル樹脂とアクリル樹脂とフルオロカーボン樹脂とのうちの一又はいずれかの組合せの水性修飾樹脂と（ｂ）１．５−９重量％のリン酸と（ｃ）０．５−１．５重量％を占めるリン酸クロム又は硝酸クロムから選択される一以上の三価クロムとからなり、高温で硬化されてなる非六価クロム材料から形成された２０−１００ｎｍ厚の耐食層と、を備えたことを特徴とする、
リチウム電池用の積層構造をなすアルミニウムプラスチックフィルム包材。
【請求項２】
ポリオレフィン重合体又はポリオレフィン共重合体の薄膜から形成された１０−８０μｍ厚の内層と、
順次積層結果としての最外層をなす所定のポリエステルフィルム又はナイロン−ポリエステル複合フィルムから形成された１０−５０μｍ厚の基体層と、
軟アルミニウム箔から形成されて前記基体層に対し配置され脱脂処理又は化成処理が施された２０−１００μｍ厚のアルミニウム箔層と、を有するリチウム電池用積層構造をなすアルミニウムプラスチックフィルム包材であって、
前記内層と前記アルミニウム箔層との間に介在する層であって、当該層の総重量当たりの重量百分率で（ａ）９５−９８重量％の水性修飾ポリオレフィン樹脂と（ｂ）１−４重量％のエポキシ硬化剤と（ｃ）０．２−１重量％のシランカップリング剤と（ｄ）０．０１−０．０５重量％のナノサイズ金属酸化物粒子とからなる第２接着剤層と、を備えたことを特徴とする、
リチウム電池用の積層構造をなすアルミニウムプラスチックフィルム包材。
【請求項３】
請求項１に記載の前記第１接着剤層、又は、請求項２に記載の前記第２接着剤層の前記水性修飾ポリオレフィン樹脂は、重量平均分子量（Ｍｗ）１５０００−４００００を有するとともに、水性修飾ポリエチレンとポリプロピレンとポリメチルペンテンとポリブテンとポリイソブチレンとのうちの一又はいずれかの組合せであることを特徴とする、請求項１又は２に記載のリチウム電池用の積層構造をなすアルミニウムプラスチックフィルム包材。
【請求項４】
請求項１に記載の前記第１接着剤層、又は、請求項２に記載の前記第２接着剤層の前記エポキシ硬化剤は、脂肪族アミンと脂肪族環状アミンとアミドアミンとポリアミドとジシアンジアミドとのうちの一又はいずれかの組合せである  ことを特徴とする、請求項１又は２に記載のリチウム電池用の積層構造をなすアルミニウムプラスチックフィルム包材。
【請求項５】
前記基体層の前記所定のポリエステルフィルムは、ポリブチレンテレフタレート（ＰＢＴ）フィルム、ポリエチレンテレフタレート（ＰＥＴ）フィルム、ＰＢＴとＰＥＴとの共重合薄膜、ＰＢＴとポリトリメチレンテレフタレート（ＰＰＴ）との共重合薄膜、ＰＢＴとポリエチレンナフタレート（ＰＥＮ）との共重合薄膜、又はＰＢＴとポリブチレンナフタレート（ＰＢＮ）との共重合薄膜であることを特徴とする、請求項１又は２に記載のリチウム電池用の積層構造をなすアルミニウムプラスチックフィルム包材。
【請求項６】
前記基体層の前記所定のポリエステルフィルムは、ポリエステル樹脂添加剤としてさらにポリアミドエラストマーが添加されることを特徴とする、請求項１又は２に記載のリチウム電池用の積層構造をなすアルミニウムプラスチックフィルム包材。
【請求項７】
前記第２接着剤層の前記シランカップリング剤は、ホスフェートエステル官能基シランとエポキシ官能基シランとアミノシランと、ビニル官能基シランとの一又はいずれかの組み合わせであることを特徴とする、請求項２に記載のリチウム電池用の積層構造をなすアルミニウムプラスチックフィルム包材。
【請求項８】
前記第２接着剤層の前記ナノサイズ金属酸化物粒子は、二酸化ケイ素（ＳｉＯ２）と、二酸化ジルコニウム（ＺｒＯ２）と、酸化アルミニウム（Ａｌ２Ｏ３）と、二酸化チタン（ＴｉＯ２）と、二酸化セリウム（ＣｅＯ２）と、のうちの一又はいずれかの組合せの粒径１０−１００ｎｍの粒子であることを特徴とする、請求項２に記載のリチウム電池用の積層構造をなすアルミニウムプラスチックフィルム包材。
【請求項９】
前記第２接着剤層の前記シランカップリング剤は、エポキシ系シランカップリング剤と、ビニルシランカップリング剤と、を当該エポキシ系シランカップリング剤の当該ビニルシランカップリング剤に対する重量比として２：１乃至８：１の範囲で組合せて形成されることを特徴とする、請求項２に記載のリチウム電池用の積層構造をなすアルミニウムプラスチックフィルム包材。
【発明の詳細な説明】
【技術分野】
【０００１】
本発明は、三価クロム修飾処理を施したクロム含有耐食層を有するアルミニウムプラスチックフィルム包材、特に、リチウム電池用アルミニウムプラスチックフィルム包材であって、フッ化水素酸（ＨＦ）及び他の溶媒に耐性を有するとともにリチウム電池をしてその耐用寿命を延ばせしめるのに好適な包材に関する。
【背景技術】
【０００２】
電子機器のコンパクト化及び軽量化が進む中、軟包装電池は、ｉＰｈｏｎｅ（登録商標）、ｉＰａｄ（登録商標）、Ｕｌｔｒａｂｏｏｋ（登録商標）等の一般消費者向け電子機器で広く使用されており、電池駆動式車両又はスクーター及びエネルギー貯蔵デバイスでの利用がさらに見込まれている。
【０００３】
一般的なリチウム電池では、典型的には、アルミニウムプラスチックフィルム包材（以下、ＡＰＦ包材と称する）を使用する。水（Ｈ２Ｏ）が電解液中のリチウムヘキサフルオロホスフェート（ＬｉＰＦ６）と作用して、アルミニウム箔を腐食してショートや電池の爆発さえ引き起こす可能性があるフッ化水素酸（ＨＦ）が生成されないように、耐食処理が必要である。アルミニウム箔へのそのような耐食処理は通常、六価クロム（Ｃｒ６＋）をアルミニウム箔の表面にコーティング又は含浸により塗布することを伴う。
【０００４】
また、ナイロンフィルムは電解液に弱いため、充填作業中に電解液があふれると包材の最外層は腐食、白化し易く、最外材は好ましくは、保護性を高めるために、一般的なポリエステルフィルムでナイロンフィルムを被覆して形成される。
【０００５】
ニーズに応えるため、従来技術では解決策が提案されている。以下に挙げる。
【０００６】
特許文献１は、リチウム電池用包材及びその製造方法を開示している。この包材は耐水性、耐高温性及び耐食性を有し、また基体層、結合層、アルミニウム箔層、耐食層、接着剤層及び内層を備える。従来技術のデバイスは、耐食層として機能する導電性の被覆材を適用したアルミニウム箔を有する。耐水性、耐高温性及び耐食性を備えた接着剤層は、ＯＨ含有修飾フルオロカーボン樹脂及びポリオールを混合し、この混合物をイソシアネートと反応させることでフッ素化ポリウレタンポリオールを生成し、このフッ素化ポリウレタンポリオールを耐熱性ビスフェノールエポキシ樹脂とブレンドしてリチウム電池用包材で使用する相互貫入網目構造を有するジョイント接着剤を生成することで形成する。
【０００７】
特許文献２はリチウム電池用の包材を開示しており、この包材は、基材層の一面上に連続的に積層される第１接着剤層、アルミニウム箔層、コーティング層、接着性樹脂層又は第２接着剤層及びシーラント層を有する。コーティング層は多層構造であり、１−１００質量部のリン酸又はホスフェートを１００質量部の希土類元素系酸化物にブレンドしている層（Ａ）と、アニオン性重合体及びこのアニオン性重合体の架橋を引き起こす架橋剤を含有する層（Ｘ）とを備える。
【０００８】
このようにして製造されたリチウム電池用包材は、バッテリーセル業界で通用するフッ化水素酸（ＨＦ）又は溶媒耐性を有するものの、ＥＵのＲｏＨＳ、ＷＥＥＥ及びＲＥＡＣＨの規制強化に伴い、六価クロム（Ｃｒ６＋）の使用を禁止する管轄区域は増えつつあり、欧州の一部の国、また米国は六価クロム及び他の重金属の使用を将来、完全に禁止する予定である。加えて、従来技術の包材の製造では一般的なポリエステルフィルムでナイロンフィルムを被覆する必要があり、製造工程が複雑且つ高コストになる。
【先行技術文献】
【特許文献】
【０００９】
【特許文献１】米国特許出願公開第２０１５／０１０４６９８号明細書
【特許文献２】米国特許出願公開第２０１０／０２５５３６５号明細書
【発明の概要】
【発明が解決しようとする課題】
【００１０】
この問題に対処するために、本発明の第１の目的は、積層構造体として形成されるアルミニウムプラスチックフィルム包材（又はＡＰＦ包材と称する）を教示することであり、この包材は、ポリオレフィン重合体又はポリオレフィン共重合体の薄膜から形成され且つ厚さ１０−８０μｍを有する内層と、所定のポリエステルフィルム又はナイロン−ポリエステル複合フィルムから形成され且つＡＰＦ包材の最外層として形成され、厚さ１０−５０μｍを有する基体層と、軟アルミニウム箔から形成され且つ基体層に接合され、厚さ２０−１００μｍを有するアルミニウム箔層と、水性修飾ポリオレフィン樹脂及びエポキシ硬化剤から硬化させ且つ内層とアルミニウム箔層との間に積層される第１接着剤層とを備える。
【００１１】
ＡＰＦ包材の第１接着剤層は以下の成分から構成される（全成分の総重量基準）。
（ａ）９６−９９．５重量％の水性修飾ポリオレフィン樹脂
（ｂ）０．５−４重量％のエポキシ硬化剤
【００１２】
ＡＰＦ包材の基体層は、少なくとも２種の二塩基酸及びジオールから合成されるポリブチレンテレフタレート（ＰＢＴ）から形成される、あるいはポリブチレンテレフタレート（ＰＢＴ）をポリエチレンテレフタレート（ＰＥＴ）、ポリトリメチレンテレフタレート（ＰＰＴ）、ポリエチレンナフタレート（ＰＥＮ）又はポリブチレンナフタレート（ＰＢＮ）の１種又は任意の組み合わせから選択される他のポリエステル樹脂と共重合させた共重合薄膜から形成されるポリエステルフィルムである。
【００１３】
本発明の第１の目的は、アルミニウムプラスチックフィルム包材を、以下のやり方の１つを用いた内層とアルミニウム箔層との間での耐食処理にさらに供することでＡＰＦ包材の電解液耐性を向上させ、良好な接着強度を付与できることを教示することでもある。
（１）クロム含有耐食層を三価クロム（Ｃｒ＋３）を含有する水性修飾樹脂から形成し、内層に接着させた接着剤層とアルミニウム箔層との間に積層する。
（２）三価クロム（Ｃｒ３＋）材料を含まない第２接着剤層を水性修飾樹脂、エポキシ硬化剤、シランカップリング剤及びナノサイズ金属酸化物粒子から形成し、内層とアルミニウム箔層との間に積層してクロム含有耐食層を省く。
【００１４】
ＡＰＦ包材のクロム含有耐食層は以下の成分から形成する。
（ａ）９０−９８重量％の水性修飾樹脂：これはポリエステル樹脂、アクリル樹脂又はフルオロカーボン樹脂から選択される１種以上である。
（ｂ）１．５−９重量％のリン酸
（ｃ）０．５−１．５重量％の三価クロム：リン酸クロム又は硝酸クロムから選択される１種以上である。
【００１５】
ＡＰＦ包材の第２接着剤層は以下の成分から構成される（全成分の総重量基準）。
（ａ）９５−９８重量％の水性修飾ポリオレフィン樹脂
（ｂ）１−４重量％のエポキシ硬化剤
（ｃ）０．２−１重量％のシランカップリング剤
（ｄ）０．０１−０．０５重量％のナノサイズ金属酸化物粒子
【００１６】
第１接着剤層又は第２接着剤層で使用するための水性修飾ポリオレフィン樹脂は、重量平均分子量（Ｍｗ）１５０００−４００００の水性修飾ポリエチレン、ポリプロピレン、ポリメチルペンテン、ポリブテン及びポリイソブチレンの１種又は任意の組み合わせを含む。
【００１７】
第２接着剤層で使用するためのシランカップリング剤は、ホスフェートエステル官能基シラン、エポキシ官能基シラン、アミノシラン及びビニル官能基シランの１種又は任意の組み合わせになり得る。
【００１８】
第２接着剤層で使用するためのシランカップリング剤は具体的にはエポキシ系シランカップリング剤をビニルシランカップリング剤と組み合わせて生成し、エポキシ系シランカップリング剤のビニルシランカップリング剤に対する好ましい重量比は２：１−８：１である。
【００１９】
第２接着剤層で使用するためのナノサイズ金属酸化物粒子は、二酸化ケイ素（ＳｉＯ２）、二酸化ジルコニウム（ＺｒＯ２）、酸化アルミニウム（Ａｌ２Ｏ３）、二酸化チタン（ＴｉＯ２）又は二酸化セリウム（ＣｅＯ２）の１種又は任意の組み合わせになり得て、ナノサイズ金属酸化物粒子は１０−１００ｎｍの粒径を有する。
【発明の効果】
【００２０】
本発明により、開示のＡＰＦ包材及びその製造方法は、製造を簡略化し、電解液及びフッ化水素酸への耐性を改善し、製品構造を簡素化して製造コストを削減することができる。また、本発明のＡＰＦ包材は優れた耐食性及び加工性を有するリチウム電池での使用に適しており、また得られるリチウム電池の耐用寿命を延ばすのに役立つ。
【図面の簡単な説明】
【００２１】
【図１】本発明のＡＰＦ包材の積層構造の第１断面図である。
【図２】本発明のＡＰＦ包材の積層構造の第２断面図である。
【図３】本発明のＡＰＦ包材の積層構造の第３断面図である。
【発明を実施するための形態】
【００２２】
本発明において、ＡＰＦ包材１０は積層構造を有し、リチウム電池用ＡＰＦ包装の作製に適している。ＡＰＦ包材１０は適切にはコールドスタンプにより形成され、妥当な伸び率、より高い衝撃強さ、引裂き強さ及び破壊強さを有する。
【００２３】
本発明のＡＰＦ包材１０の積層構造は３種類ある。
本発明のＡＰＦ包材１０の第１積層構造は、図１に示すように、耐熱樹脂の薄膜から形成される基体層２０を備え、この基体層２０の片面上に、少なくとも１つの結合層３０、アルミニウム箔層４０、クロム含有耐食層５０、接着剤層６０及び熱可塑性樹脂の薄膜から形成される内層７０が順に積層される。この構造においては、クロム含有耐食層５０をアルミニウム箔層４０の片面上に積層してアルミニウム箔層４０を耐水性及び耐酸性にすることでアルミニウム箔層４０を腐食から守る。
【００２４】
本発明のＡＰＦ包材１０の第２の積層構造は、図２に示すように、アルミニウム箔層４０の両面にクロム含有耐食層５０を積層することでアルミニウム箔層４０を腐食防止の観点で改善している点で第１の積層構造とは異なる。
【００２５】
本発明のＡＰＦ包材１０の第３の積層構造は、図３に示すように、アルミニウム箔層４０の片面に非クロム材料を含有する接着剤層６０’を取り付けてアルミニウム箔層４０を耐水性及び耐酸性にすることでアルミニウム箔層４０を腐食から守る点で第１の積層構造とは異なる。
【００２６】
本発明のＡＰＦ包材１０の積層構造組成についてはさらに後述する。
【００２７】
１．基体層２０
図１に示すように、基体層２０は耐熱性樹脂フィルムの単層又は多層から形成され、この耐熱性樹脂フィルムは、冷間成形法によるリチウム電池の最外層化材料としての作製における使用に適している。
【００２８】
耐熱性樹脂フィルムは、ポリアミド（ＮＹＬＯＮ）樹脂又はポリエチレンテレフタレート（ＰＥＴ）、ポリブチレンテレフタレート（ＰＢＴ）及びＰＥＴとＰＢＴとの共重合体から成る群から選択されるポリエステル樹脂から形成される延伸又は非延伸の薄膜である。
【００２９】
ポリエステル樹脂はさらにポリエステル樹脂添加剤としてポリアミドエラストマーを追加し得て、ポリアミドエラストマーはポリエーテル成分、ポリカーボネート成分又はポリエステル成分を含有し得る。
【００３０】
基体層２０はポリブチレンテレフタレート（ＰＢＴ）フィルムになり得て、ＰＢＴフィルムは少なくとも２種の二塩基酸及びジオールから合成される。
好ましくは、この二塩基酸は好ましくは９０−１００モル％のテレフタル酸であるジカルボン酸であり、ジオールは好ましくは９０−９７モル％の１，４−ブチレングリコールであり、共重合ジオールが使用でき、例えばエチレングリコール、１，３−プロピレングリコール、１，２−プロピレングリコール、ネオペンチルグリコール、１，５−ペンチルグリコール、１，６−ヘキシレングリコール又はカーボネートである。
【００３１】
加えて、共重合ジカルボン酸を使用し得て、イソフタル酸、フタル酸、ナフタレンジカルボン酸、ジフェニルジカルボン酸、シクロヘキサンジカルボン酸、ヘキサン二酸、アゼライン酸又はデカン二酸の１種以上から選択し得る。
【００３２】
また、基体層２０は、ポリブチレンテレフタレート（ＰＢＴ）を、ポリエチレンテレフタレート（ＰＥＴ）、ポリトリメチレンテレフタレート（ＰＰＴ）、ポリエチレンナフタレート（ＰＥＮ）又はポリブチレンナフタレート（ＰＢＮ）の１種又は任意の組み合わせから選択される他のポリエステル樹脂と共重合させる共重合薄膜になり得る。
ポリブチレンテレフタレート（ＰＢＴ）の含有量は６０−８０重量％であり、より好ましくは８０重量％を超える。ポリブチレンテレフタレート（ＰＢＴ）の含有量が６０重量％未満である場合、得られる共重合薄膜の衝撃強さ及びピンホール耐性は劣ったものになる。
【００３３】
明確にするために、ポリアミド（ＮＹＬＯＮ）樹脂から形成される延伸又は非延伸薄膜を以下、ナイロンフィルムと称し、ポリエステル樹脂から形成される延伸又は非延伸薄膜を以下、ポリエステルフィルムと称する。
【００３４】
リチウム電池がプラスチックフィルム包材として形成される本発明のＡＰＦ包材１０を有する場合、ＡＰＦ包材１０の基体層２０の主な目的は、アルミニウム箔層４０、クロム含有耐食層５０及び接着剤層６０等を含む中間層を保護することである。また、基体層２０の他の目的は印刷用にテキストを目立たせることであるため、基体層２０は優れた印刷適性を有する必要がある。
【００３５】
基体層２０は、耐熱性を備えたポリアミド（ＮＹＬＯＮ）フィルム又はポリエステル（ＰＥＴ）フィルムから形成され、冷間成形法を経て厚さ１０−５０ミクロン（μｍ）を有する。基体層２０は、もし厚さが１０μｍ未満であるならば、伸長には不十分であり隔離性が低下する欠点を有し、本発明のＡＰＦ包材１０は不適格なものとなる。加えて、基体層２０は、もし厚さが５０μｍを超えるならば、軽量、且つ、厚み・長さ・寸法がそれぞれ薄く短く小さいことが求められているリチウム電池の製造には使用できない。
【００３６】
２．結合層３０
図１−３に示すように、結合層３０は基体層２０及びアルミニウム箔層４０を結合させるために使用する。結合層３０は、完全に硬化した後のポリウレタン接着剤から形成される。
【００３７】
３．アルミニウム箔層４０
アルミニウムは比重量の点で鉄及び銅より小さいため、軽量な部品に申し分ない。合金を銅、マグネシウム、ケイ素又は鉄と形成することにより、アルミニウム箔層４０はより良好な強度を有し得る。
【００３８】
さらに、水蒸気又は空気中に存在する水分は、浸透性によりリチウム電池の内部に容易に浸透してリチウム電池を通常の条件下での作動に不適なものにするため、リチウム電池のライフサイクルは、使用条件下にあるならば、環境の大気湿度と密接に関係している。したがって、積層物の各層が防湿性を有することが求められている本発明のＡＰＦ包材１０は極めて重要であり、リチウム電池において使用するアルミニウム箔層４０は、水又は水分の浸透を効果的に防止するための極めて重要な構成要素としての役割を果たす。
【００３９】
アルミニウム箔層４０は２０ミクロン（μｍ）を超え、好ましくは３０−１００μｍの厚さを有するように制限され、要求される条件を満たしたならば、優れた防湿能を有する。
【００４０】
アルミニウム箔層４０は概してある種の軟アルミニウム箔から形成される。しかしながら、好ましいピンホール耐性及びより良好なスケーラビリティ及び成形性を有するアルミニウム箔層４０を得るために、アルミニウム箔層４０を好ましくは鉄元素及びケイ素元素を含有するアルミニウム箔から形成する。
アルミニウム箔層４０の鉄含有量は好ましくはアルミニウム箔層４０の０．１−５重量％、最も好ましくはその０．３−１重量％であり、アルミニウム箔層４０のケイ素含有量は好ましくはアルミニウム箔層４０の０．１−５重量％、最も好ましくはその０．３−１重量％である。
【００４１】
アルミニウム箔層４０を好ましくは脱脂処理又は化成処理で処理して高いフッ化水素酸耐性を付与する。アルミニウム箔層４０に対する化成処理は、酸化物コーティング層をアルミニウム箔層４０の表面で成長させるためのものであり、この酸化物コーティングは、クロメート、ホスフェート又はフッ化物塩、例えばアルカリ金属クロメート、アルカリ金属ホスフェート、リン酸クロム、リン酸亜鉛又は有機／無機酸化ケイ素（ＳｉＯ２）等である。中でも、クロメート又はホスフェートが好ましく、アルミニウム箔層４０の表面で酸化物コーティングを成長させるにはリン酸クロムがより好ましい。
【００４２】
４．クロム含有耐食層５０
図１又は図２に示すように、クロム含有耐食層５０は、三価クロム（Ｃｒ３＋）を含有する水性修飾樹脂をアルミニウム箔層４０の片面又は両面に噴霧又は塗布し、その修飾樹脂を高温で硬化させることで形成する。
【００４３】
三価クロム（Ｃｒ３＋）を含有する水性修飾樹脂は以下の成分から構成される。
（ａ）９０−９８重量％の水性修飾樹脂：ポリエステル樹脂、アクリル樹脂又はフルオロカーボン樹脂から選択される１種以上である。
（ｂ）１．５−９重量％のリン酸
（ｃ）０．５−１．５重量％の三価クロム：リン酸クロム又は硝酸クロムから選択される１種以上である。
【００４４】
三価クロム（Ｃｒ３＋）を含有する水性修飾樹脂は、高温での硬化後、厚さ２０−１００ｎｍを有する緻密な金属酸化物フィルムの層としてアルミニウム箔層４０の片面又は両面に形成されるため、アルミニウム箔層４０中の金属の電極電位は不動態域にあり、アルミニウム箔層４０は腐食から保護される。
【００４５】
５．接着剤層６０
図１又は図２に示すように、接着剤層６０は、クロム含有耐食処理、すなわち、先ず水性修飾ポリオレフィン樹脂ジョイント接着剤（以下「第１水性ジョイント接着剤」と称する）として形成された後にクロム含有耐食層５０と内層７０との間にコートされることとなる水性修飾ポリオレフィン樹脂とエポキシ硬化剤とを共に塗布し、次に第１水性ジョイント接着剤を硬化させる処理、によって形成される。
【００４６】
あるいは、図３に示すように、接着剤層６０’は、別の非クロム耐食処理、すなわち、先ず水性修飾ポリオレフィン樹脂ジョイント接着剤（以下「第２水性ジョイント接着剤」と称する）として形成された後にアルミニウム箔層４０と内層７０との間にコートされることとなる水性修飾ポリオレフィン樹脂と、エポキシ硬化剤と、シランカップリング剤と、ナノサイズ金属酸化物粒子とを共に塗布し、次に第２水性ジョイント接着剤を硬化させる処理、によって形成される。
【００４７】
接着剤層６０又は６０’の第１又は第２水性ジョイント接着剤の成分は様々な比でブレンド可能であり、接着剤層６０の形成に適した塗布可能で効果的なジョイント接着剤を生成するために適切な量の添加剤、例えば硬化剤を添加できる。
【００４８】
接着剤層６０の第１水性ジョイント接着剤は以下の成分から構成される（第１水性ジョイント接着剤の総重量基準）。
（ａ）９６−９９．５重量％の水性修飾ポリオレフィン樹脂
（ｂ）０．５−４重量％のエポキシ硬化剤
【００４９】
接着剤層６０’の第２水性ジョイント接着剤は以下の成分から構成される（第１水性ジョイント接着剤の総重量基準）。
（ａ）９５−９８重量％の水性修飾ポリオレフィン樹脂
（ｂ）１−４重量％のエポキシ硬化剤
（ｃ）０．２−１重量％のシランカップリング剤
（ｄ）０．０１−０．０５重量％のナノサイズ金属酸化物粒子
【００５０】
第１又は第２水性ジョイント接着剤は水性修飾ポリオレフィン樹脂を含有する。水性修飾ポリオレフィン樹脂のＣ−Ｃ結合は際立った耐薬品性及び疎水性を有するため、第１又は第２水性ジョイント接着剤はフッ化水素酸（ＨＦ）に対する耐性が高く、またクロム含有耐食層５０及び内層７０をしっかり結合でき、あるいはアルミニウム箔層４０及び内層７０をしっかり結合できる。
第１又は第２水性ジョイント接着剤のこれらの特徴により、本発明の開示のＡＰＦ包材１０は、フッ化水素酸（ＨＦ）に対する良好な耐性を有する。
【００５１】
第１又は第２水性ジョイント接着剤で使用するための修飾ポリオレフィン樹脂は、ポリエチレン、ポリプロピレン、ポリメチルペンテン、ポリブテン及びポリイソブチレンから成る群から選択される１種以上になり得る。修飾ポリオレフィン樹脂は１５０００−４００００、好ましくは２５０００−３５０００の重量平均分子量（Ｍｗ）を有する。
【００５２】
ポリオレフィン樹脂を修飾するために、グラフト共重合体、ブロック共重合体又は低分子量化合物を分子セグメント系に相溶化剤として添加する。相溶化剤の添加により２つの不相溶相が物理的作用又は化学反応により相乗作用を得て、混和性を強化し、修飾系の性能を改善する。
【００５３】
修飾ポリオレフィン樹脂の選択は、化学的不活性さを考慮して行うものとする。修飾ポリオレフィン樹脂は、電解液中のエチレンカーボネート（ＥＣ）、ジエチルカーボネート（ＤＥＣ）又はジメチルカーボネート（ＤＭＣ）溶媒等の高極性溶媒、また発生する可能性があるフッ化水素酸（ＨＦ）に対する優れた耐性を有さなければならず、同時に、修飾ポリオレフィン樹脂は内層７０又はアルミニウム箔層４０に対する優れた接着特性も有していなければならない。
【００５４】
第１又は第２水性ジョイント接着剤で使用するためのエポキシ硬化剤は、脂肪族アミン、脂肪族環状アミン、アミドアミン、ポリアミド及びジシアンジアミドの１種又は任意の組み合わせになり得る。
【００５５】
第２水性ジョイント接着剤で使用するためのシランカップリング剤は、ホスフェートエステル官能基シラン、エポキシ官能基シラン、アミノシラン及びビニル官能基シランの１種又は任意の組み合わせになり得る。
【００５６】
シランカップリング剤の選択は、
（１）アルミニウム箔層４０の金属面との高い反応性を有するか否か、
（２）内層７０又はアルミニウム箔層４０に対する良好な接着性を有するか否か、
（３）コールドスタンプによる形成に適し、妥当な伸び率を有する本発明のＡＰＦ包材１０が得られるか、
を考慮して行うものとする。
【００５７】
シランカップリング剤を特にビニルシランカップリング剤と組み合わせたエポキシ系シランカップリング剤から生成する場合、エポキシ系シランカップリング剤のビニルシランカップリング剤に対する好ましい重量比は２：１−８：１である。エポキシ系シランカップリング剤の割合がビニルシランカップリング剤の割合に対して高くなるにつれて、電解液に耐性の内層７０及びアルミニウム箔層４０の接着強度は大幅に改善される。
シランカップリング剤は適切な量のビニルシランカップリング剤と組み合わせたエポキシ系シランカップリグ剤から構成されるため、ビニルシランカップリング剤のＣ＝Ｃ二重結合は重合につながり、接着剤層６０’の第２水性ジョイント接着剤の耐食能を上昇させ、フッ化水素酸（ＨＦ）に対する耐性を効果的に引き上げる。これに対して、シランカップリング剤を過剰量のビニルシランカップリング剤と組み合わせたエポキシ系シランカップリング剤から構成する場合、ビニルシランカップリング剤のＣ＝Ｃ二重結合は他の分子と重合しすぎ、高分子量を有する重合体が生成される可能性があり、これは接着剤層６０’の第２水性ジョイント接着剤の接着性にとって好ましくない。
【００５８】
ナノサイズ金属酸化物粒子は、二酸化ケイ素（ＳｉＯ２）、二酸化ジルコニウム（ＺｒＯ２）、酸化アルミニウム（Ａｌ２Ｏ３）、二酸化チタン（ＴｉＯ２）及び二酸化セリウム（ＣｅＯ２）の１種又は任意の組み合わせになり得る。選択したナノサイズ金属酸化物粒子は耐食処理における考えられ得るナノサイズの細孔欠陥を修復し、腐食防止性を改善することで、内層７０又はアルミニウム箔層４０への電解液耐性及び良好な接着強度の付与を支援する。
【００５９】
ナノサイズ金属酸化物粒子は、１０−１００ｎｍ、好ましくは２０−５０ｎｍの粒径を有する。
【００６０】
６．内層７０
図１−３に示すように、内層７０は単層又は多層の熱可塑性樹脂フィルムから形成される。この熱可塑性樹脂フィルムはポリオレフィン系重合体フィルム、ポリオレフィン共重合体フィルム又はポリプロピレン、ポリエチレン、マレイン酸修飾ポリプロピレン、エチレン−アクリル酸エステル共重合体若しくはイオン結合含有重合体樹脂から形成される非延伸フィルムである。
【００６１】
内層７０がリチウム電池の電解液と接触するため、内層７０は、リチウム電池に組み立てる場合に、電解液耐性能を改善するためにヒートシール可能でなくてはならない。
【００６２】
内層７０は１０−８０μｍの厚さを有する。厚さが１０μｍ未満ならば、内層７０のヒートシール性が損なわれ、リチウム電池の一部の電気的性質が無効となる。さらに、厚さが８０μｍを超えると、内層７０は、軽量で薄く短く小さいことが求められているリチウム電池の製造には使用できない。
【００６３】
開示のＡＰＦ包材１０は水、フッ化水素酸（ＨＦ）及び高温に耐性であり、リチウム電池用のＡＰＦ包材にする場合、優れた耐食性、加工性及び溶媒耐性をもたらし、またリチウム電池の耐用寿命を効果的に延ばす。
【００６４】
以下の実施例により本発明を例証する。実施例は本発明の範囲を限定しない。以下の実施例及び比較例で提示するＡＰＦ包材の物理的性質は以下の試験により評価する。
【００６５】
１．プレス成形性の評価
上記の方法で得られたサンプルを１５０ｍｍ×２００ｍｍに切断し、既定の直径のパンチでパンチする冷間成形法に供した。サンプルに形成されたパンチ穴の深さに基づいて、サンプルの最大パンチ深さを測定し、サンプルを冷間成形法にうまく供せるか否かを評価する。測定されたパンチ深さが深ければ深いほど、サンプルは冷間成形法に供しやすい。
【００６６】
２．剥離強さ試験による電解液耐性の評価
電解液を、１．０ＭのＬｉＰＦ６をエチレンカーボネート／ジエチルカーボネート＝１／１の溶液に添加することで用意した。次に、サンプルを幅１５ｍｍの細片に切断し、用意した電解液に８５℃で４時間にわたって浸した。剥離強さ試験機によりアルミニウム箔層と最内層との間の剥離強さ（単位：Ｎ／ｍｍ）を評価する。
【００６７】
３．包装性の評価
電解液を、１．０ＭのＬｉＰＦ６をエチレンカーボネート／ジエチルカーボネート＝１／１の溶液に添加することで用意した。上記の方法で得られたサンプルに、電解液注入後、ヒートシールを行う。保管１ヶ月後に、ヒートシールしたサンプルから電解液の漏れがあるかを確認した。
【００６８】
実施例１
１．アルミニウム箔用のクロム含有耐食層の形成
（１）脱脂処理：５．０％のＮａＯＨ水溶液を使用してアルミニウム箔の表面から油分を除去した。また、続いてアルミニウム箔を水ですすぎ、乾燥させた。
（２）不動態化コーティング：三価クロム（Ｃｒ３＋）を含有する水性修飾樹脂溶液をアルミニウム箔の表面に塗布又は噴霧すると、厚さ２０ｎｍを有するクロム含有耐食層でコートされたアルミニウム箔が乾燥後に得られた。
【００６９】
２．ジョイント接着剤（Ａ）の調製
（１）１００重量部の水性修飾ポリオレフィン樹脂（Ｄｏｗ  Ｃｈｅｍｉｃａｌ  Ｃｏｍｐａｎｙから市販。重量平均分子量（Ｍｗ）＝３００００）及び１重量部のエポキシ含有硬化剤（Ｙａ  Ｃｈｕｎｇ  Ｉｎｄｕｓｔｒｉａｌ  Ｃｏｒｐｏｒａｔｉｏｎ  Ｌｔｄ．、台湾から市販）を順に表１にしたがってブレンド槽に加えた。
（２）ジョイント接着剤（Ａ）が十分な混合後に得られた。
【００７０】
３．アルミニウムプラスチックフィルム（ＡＰＦ）包材の製造
（１）厚さ２５μｍを有する所定のポリエステルフィルム（Ｔｏｙｏｂｏ  Ｃｏｒｐｏｒａｔｉｏｎ  Ｌｔｄ．、日本から市販）を基体層として使用した。
（２）厚さ４０μｍを有するポリプロピレンフィルムを内層として使用した。
（３）不動態化を経た、厚さ４０μｍを有する軟アルミニウム箔をアルミニウム箔層として使用した。
（４）ウレタン結合剤（Ｎａｎ  Ｙａ  Ｐｌａｓｔｉｃｓ  Ｃｏｒｐｏｒａｔｉｏｎ  Ｌｔｄ．、台湾から市販）を使用して基体層をアルミニウム箔層に面で耐食処理なく結合させた。
（５）ジョイント接着剤（Ａ）を使用して内層をアルミニウム箔層にその面でクロム含有耐食層と共に付着させた。
（６）積層体を６０℃で５日にわたって熟成させるとＡＰＦ包材が得られた。
【００７１】
得られたＡＰＦ包材を分析し、詳細な結果を表１に挙げる。
【００７２】
実施例２
表１を参照する。今度はエポキシ系硬化剤を２重量部添加してジョイント接着剤組成物を得た。ＡＰＦ包材の作製に関する残りのパラメータは実施例１で用いたものと全て同じであった。
【００７３】
得られたＡＰＦ包材を分析し、詳細な結果を表１に挙げる。
【００７４】
実施例３
表１を参照する。今度はエポキシ系硬化剤を４重量部添加してジョイント接着剤組成物を得た。ＡＰＦ包材の作製に関する残りのパラメータは実施例１で用いたものと全て同じであった。
【００７５】
得られたＡＰＦ包材を分析し、詳細な結果を表１に挙げる。
【００７６】
実施例４
アルミニウム箔上にコートしたクロム含有耐食層の厚さを２０ｎｍから１００ｎｍに変更した以外は実施例３と同じである。ＡＰＦ包材の作製に関する残りのパラメータは実施例３で用いたものと全て同じであった。
【００７７】
得られたＡＰＦ包材を分析し、詳細な結果を表１に示す。
【００７８】
実施例５
１．実施例１と同じアルミニウム箔用のクロム含有耐食層の形成
２．ジョイント接着剤（Ｂ）の調製
（１）１００重量部の水性修飾ポリオレフィン樹脂（Ｄｏｗ  Ｃｈｅｍｉｃａｌ  Ｃｏｍｐａｎｙから市販。Ｍｗ＝３００００）及び３重量部のエポキシ含有硬化剤（Ｙａ  Ｃｈｕｎｇ  Ｉｎｄｕｓｔｒｉａｌ  Ｃｏｒｐｏｒａｔｉｏｎ  Ｌｔｄ．、台湾から市販）を順に表１にしたがってブレンド槽に加え、よく混合した。
（２）０．２重量部のエポキシ官能基シラン、０．１重量部のビニル官能基シラン及び０．０３重量部のナノサイズ二酸化ケイ素（ＳｉＯ２）を順に添加し、よく混合した。
（３）ジョイント接着剤（Ｂ）が十分な混合後に得られた。
３．アルミニウムプラスチックフィルム（ＡＰＦ）包材の製造
（１）厚さ２５μｍを有する所定のポリエステルフィルム（Ｔｏｙｏｂｏ  Ｃｏｒｐｏｒａｔｉｏｎ  Ｌｔｄ．、日本から市販）を基体層として使用した。
（２）厚さ４０μｍを有するポリプロピレンフィルムを内層として使用した。
（３）表面脱脂処理を施し、厚さ４０μｍを有する軟アルミニウム箔をアルミニウム箔層として使用した。
（４）ウレタン結合剤（Ｎａｎ  Ｙａ  Ｐｌａｓｔｉｃｓ  Ｃｏｒｐｏｒａｔｉｏｎ  Ｌｔｄ．、台湾から市販）を使用して基体層をアルミニウム箔層に結合させた。
（５）ジョイント接着剤（Ｂ）を使用して内層及びアルミニウム箔層を結合させた。
（６）積層体を６０℃で５日にわたって熟成させるとＡＰＦ包材が得られた。
【００７９】
得られたＡＰＦ包材を分析し、詳細な結果を表１に挙げる。
【００８０】
実施例６
実施例５に対し、表１にしたがって、今度はエポキシ官能基シランを０．４重量部添加してジョイント接着剤組成物を得た。ＡＰＦ包材の作製に関する残りのパラメータは実施例５で用いたものと全て同じであった。
【００８１】
得られたＡＰＦ包材を分析し、詳細な結果を表１に挙げる。
【００８２】
実施例７
実施例５に対して、表１にしたがって、今度はエポキシ官能基シランを０．８重量部添加してジョイント接着剤組成物を得た。ＡＰＦ包材の作製に関する残りのパラメータは実施例５で用いたものと全て同じであった。
【００８３】
得られたＡＰＦ包材を分析し、詳細な結果を表１に挙げる。
【００８４】
実施例８
実施例６との比較で、表１にしたがって、ナノサイズ二酸化ケイ素（ＳｉＯ２）の代わりにナノサイズ二酸化アルミニウム（Ａｌ２Ｏ３）を使用してジョイント接着剤組成物を得て、基体層をナイロン複合フィルムに変更した。ＡＰＦ包材の作製に関する残りのパラメータは実施例６で用いたものと全て同じであった。
【００８５】
得られたＡＰＦ包材を分析し、詳細な結果を表１に挙げる。
【００８６】
比較例１
１．アルミニウム箔の準備
（１）脱脂処理：５．０％のＮａＯＨ水溶液を使用してアルミニウム箔の表面から油分を除去する。また、続いてアルミニウム箔を水ですすぎ、乾燥させた。
２．ジョイント接着剤（Ａ）の調製は実施例３と同じであった。
３．アルミニウムプラスチックフィルム（ＡＰＦ）包材の製造
（１）厚さ２５μｍを有する所定のポリエステルフィルム（Ｔｏｙｏｂｏ  Ｃｏｒｐｏｒａｔｉｏｎ  Ｌｔｄ．、日本から市販）を基体層として使用した。
（２）厚さ４０μｍを有するポリプロピレンフィルムを内層として使用した。
（３）表面脱脂処理を施し、厚さ４０μｍを有する軟アルミニウム箔をアルミニウム箔層として使用した。
（４）ウレタン結合剤（Ｎａｎ  Ｙａ  Ｐｌａｓｔｉｃｓ  Ｃｏｒｐｏｒａｔｉｏｎ  Ｌｔｄ．、台湾から市販）を使用して基体層をアルミニウム箔層に結合させた。
（５）ジョイント接着剤（Ａ）を使用して内層をアルミニウム箔層に結合させた。
（６）積層体を６０℃で５日にわたって熟成させるとＡＰＦ包材が得られた。
【００８７】
得られたＡＰＦ包材を分析し、詳細な結果を表１に挙げる。
【００８８】
比較例２
１．アルミニウム箔に厚さ１０ｎｍを有するクロム含有耐食層をコートした以外は、アルミニウム箔は実施例３と同じように準備した。
２．ジョイント接着剤（Ａ）の調製は実施例３と同じであった。
３．アルミニウムプラスチックフィルム（ＡＰＦ）包材の製造は実施例３と同じであった。
【００８９】
得られたＡＰＦ包材を分析し、詳細な結果を表１に示す。
【００９０】
比較例３
実施例５に対して、表１にしたがって、今度はエポキシ官能基シランを０．１重量部添加してジョイント接着剤組成物を得た。ＡＰＦ包材の作製に関する残りのパラメータは実施例５で用いたものと全て同じであった。
【００９１】
得られたＡＰＦ包材を分析し、詳細な結果を表１に挙げる。
【００９２】
比較例４
ジョイント接着剤組成物にナノサイズ金属酸化物粒子を添加しないこと以外は、実施例６と同じである。ＡＰＦ包材の作製に関する残りのパラメータは実施例６で用いたものと全て同じであった。
【００９３】
得られたＡＰＦ包材を分析し、詳細な結果を表１に示す。
【００９４】
比較例５
基体層がポリエステルフィルムの代わりに厚さ２５μｍを有するナイロンフィルムであった以外は、実施例６と同じである。ＡＰＦ包材の作製に関する残りのパラメータは実施例６で用いたものと全て同じであった。
【００９５】
得られたＡＰＦ包材を分析し、詳細な結果を表１に挙げる。
【００９６】
比較例６
アルミニウム箔を六価クロム（Ｃｒ６＋）で処理したこと以外は、実施例３と同じである。ＡＰＦ包材の作製に関する残りのパラメータは実施例３で用いたものと全て同じであった。
【００９７】
得られたＡＰＦ包材を分析し、詳細な結果を表１に挙げる。
【００９８】
【表１】
2019102262.tif 000003
【００９９】
結論
１．全ての実施例１−８を比較例１と比較することで、ＡＰＦ包材の内層とアルミニウム箔層との間で、以下のやり方の１つを用いて耐食処理を施したならば、ＡＰＦ包材の電解液耐性が向上し、良好な接着強度を示すことは明らかである。
（１）クロム含有耐食層を三価クロムを含有する水性修飾樹脂から形成し、内層とアルミニウム箔層との間に積層する。
（２）非クロム材料の接着剤層を水性修飾樹脂、エポキシ硬化剤、シランカップリング剤及びナノサイズ金属酸化物粒子から生成し、内層とアルミニウム箔層との間に積層する。
【０１００】
２．実施例１−３に示すように、エポキシ硬化剤の重量が増大するにつれて、内層及びアルミニウム箔層の電解液に対する接着強度が大幅に改善した。これは、上昇した架橋密度によりフッ化水素酸（ＨＦ）に対する耐性が効果的に改善されたからである。
【０１０１】
３．実施例３、４を比較例２と比較することで、アルミニウム箔クロム含有耐食層が好ましくは厚さ２０−１００ｎｍを有することは明らかである。
【０１０２】
４．実施例５−７及び比較例３において、エポキシ系シランカップリング剤の割合がビニルシランカップリング剤の割合に対して高くなるにつれて、内層とアルミニウム箔層との間の領域の電解液に対する接着強度が顕著に改善された。これは、重合を促進するＣ＝Ｃ二重結合を有する適切な量のビニルシランカップリング剤が非クロム耐食処理の密度を上昇させ、フッ化水素酸（ＨＦ）に対する耐性を効果的に改善できるからである。
【０１０３】
これに対し、ビニルシランカップリング剤が過剰な場合、ビニルシランカップリング剤のＣ＝Ｃ二重結合は他の分子と重合しすぎ、高分子量を有する重合体が生成される可能性があり、これは内層とアルミニウム箔層との間に施される非クロム耐食処理により形成される接着剤層の接着性にとって好ましくない。
【０１０４】
５．実施例６、８及び比較例５ではナノサイズＳｉＯ２又はＡｌ２Ｏ３を添加することで内層及びアルミニウム箔層に、電解液に対する改善された接着強度を付与した。これは、ナノサイズＳｉＯ２又はＡｌ２Ｏ３粒子が非クロム耐食処理における考えられ得るナノサイズの細孔欠陥を修復し、腐食防止性を改善できるからである。
【０１０５】
比較例４をナノサイズＳｉＯ２及びＡｌ２Ｏ３なしで行ったため、電解液に対する接着強度は実施例６のものより劣った。
【０１０６】
６．実施例３において、アルミニウム箔には脱脂処理及び三価クロム（Ｃｒ３＋）耐食処理を施した。
【０１０７】
実施例３に対して、比較例１のアルミニウム箔には脱脂処理のみを行い、クロム処理を施さなかった。その結果、比較例１の内層及びアルミニウム箔層は電解液への曝露後に互いに剥離し、内層とアルミニウム箔層との間に接着強度がないことを示した。
【０１０８】
したがって、比較例１のアルミニウム箔層は、クロム処理を施されていないため、耐酸性ではないことが明らかである。
【０１０９】
７．電解液耐性試験は、ナイロンフィルムから形成される比較例５の基体層を所定のポリエステルフィルムから形成される実施例６の基体層と比較することで行った。比較例５の基体層は著しく変色した。
【０１１０】
したがって、実施例６の所定のポリエステルフィルムから形成された基体層が良好な溶媒耐性、際立ったパンチ抵抗能及び良好な加工性を有することは明らかである。
【０１１１】
８．六価クロム（Ｃｒ６＋）及び他の重金属の使用は一部の欧州諸国及び米国でいずれ禁止される。
【０１１２】
実施例３では三価クロム（Ｃｒ３＋）をアルミニウム箔の処理に使用し、比較例６では依然として六価クロム（Ｃｒ６＋）をアルミニウム箔の処理に使用し、実施例３と同じジョイント接着剤を使用した。
【０１１３】
実施例３を比較例６と比較すると、クロム含有耐食層が三価クロム（Ｃｒ３＋）を含有する水性修飾樹脂から形成され、内層とアルミニウム箔層との間に積層されることが明らかであり、この構造的特徴は、実施例３の内層及びアルミニウム箔層の両方にとって電解液に対する優れた接着強度及び際立ったパンチ抵抗能を得るのに役立ち、六価クロム（Ｃｒ６＋）修飾処理を施す比較例６と同様である。
【０１１４】
一方、非クロム材料を内層とアルミニウム箔層との間に接着させる接着剤層に導入することで、実施例６及び８もまた電解液に対する優れた接着強度及び際立ったパンチ抵抗能を有する。
【０１１５】
したがって、本発明は、耐食処理を三価クロム（Ｃｒ３＋）修飾処理で行う、あるいは３価クロム（Ｃｒ３＋）修飾処理の代わりに非クロム材料を導入することで、ＡＰＦ包材を効果的にフッ化水素酸（ＨＦ）耐性にできることを開示するものであることがわかる。
【図１】
2019102262.tif 000004
【図２】
2019102262.tif 000005
【図３】
2019102262.tif 000006
【外国語明細書】
2019102262000001.pdf